(57)【要約】      （修正有）【課題】ねじヘッド上に駆動凹溝を成形するねじ及び対応するパンチを提供する。【解決手段】ねじは、ロッド体２２と該ロッド体２２の上端に形成された頭部２４とを含み、該頭部２４の頂面には駆動凹溝２８が設けられており、該凹溝２８は、一つの中心領域と、複数の外周領域３２と、複数の連結領域３４とを含む。該中心領域は、頭部２４の奥まで入り込み、溝底を有する。該複数の外周領域３２は、該中心領域から径方向に沿って外方へ延在しかつ該中心領域の周囲を離間的に囲繞している。各外周領域３２は、離間した２つの側壁３８と該２つの側壁２８の外端の間に連結された弧形壁４０とにより限定されている。各連結領域３４は、隣接した２つの外周領域３２の隣接した２つの側壁３８の内端の間に接続されている。各連結領域３４は、円弧壁により限定されている。該円弧壁の両側端と接続された外周領域３４の側壁の内端との間では円弧面４４がそれぞれ１つ構成されている。【選択図】図２
0003212517.tif 000002
【実用新案登録請求の範囲】
【請求項１】
ロッド体と、該ロッド体の上端に形成された頭部とを含み、該頭部の頂面にはツールの結合刃が挿入される凹溝を設けているねじであって、該凹溝は、
該頭部の奥まで入り込み溝底を有する一つの中心領域と、
該中心領域から径方向に沿って外方へ延在しかつ該中心領域の周囲を離間的に囲繞しており、離間した２つの側壁と該２つの側壁の外端の間に連結された弧形壁とにより限定され、側壁と弧形壁は該頭部の頂面から該溝底まで延在する複数の外周領域と、
隣接した２つの外周領域の隣接した２つの側壁の内端との間に接続され、該中心領域に対して外方へ突出する円弧壁により限定され、該円弧壁は該頭部の頂面から該溝底まで延在し、該円弧壁の両側端は接続された外周領域の側壁の内端との間で円弧面が１つ構成され、各円弧面は該中心領域に対して内方へ凹んでいる複数の連結領域と、
を備えることを特徴とするねじ。
【請求項２】
該弧形壁は該中心領域に対して外方へ突出していることを特徴とする請求項１に記載のねじ。
【請求項３】
該凹溝は４つの外周領域を含み、隣接した２つの外周領域は９０度離間していることを特徴とする請求項２に記載のねじ。
【請求項４】
該凹溝は６つの外周領域を含み、隣接した２つの外周領域は６０度離間していることを特徴とする請求項２に記載のねじ。
【請求項５】
請求項１ないし請求項４のいずれか１項に記載のねじの凹溝を製造するためのものであり、主体と、該主体の先端面から突出するパンチヘッドとを含むパンチであって、該パンチヘッドは、
該主体の先端面から突出する中心部と、
該中心部から径方向に沿って外方へ延在しかつ該中心部の周囲を離間的に囲繞しており、離間した２つの側刃と該２つの側刃の外端の間に連結された弧形刃とにより限定され、側刃と弧形刃は該主体の先端面から内方へ延在する複数の外周領域と、
隣接した２つの外周領域の隣接した２つの側刃の間に接続され、該中心部に対して外方へ突出する円弧刃により限定され、該円弧刃は該主体の先端面から内方へ延在し、該円弧刃の両側端と接続された外周部の側刃との間では円弧面がそれぞれ１つ構成され、各円弧面は該中心部に対して内方へ凹んでいる複数の連結部と、
を備えることを特徴とするパンチ。
【請求項６】
該弧形刃は該中心部に対して外方へ突出していることを特徴とする請求項５に記載のパンチ。
【請求項７】
該パンチヘッドは４つの外周部を含み、隣接した２つの外周部は９０度離間していることを特徴とする請求項５に記載のパンチ。
【請求項８】
該パンチヘッドは６つの外周部を含み、隣接した２つの外周部は６０度離間していることを特徴とする請求項５に記載のパンチ。
【考案の詳細な説明】
【技術分野】
【０００１】
本考案は、ねじ及び対応するパンチに関し、特にヘッド凹溝が略十字形または梅花形となるねじに関するものである。
【背景技術】
【０００２】
図１は、ねじの頭部１０を示し、頭部１０の頂面１２には、ドライバーヘッド先端の結合刃（図示せず）が挿入され、ねじの回転を駆動するための駆動凹溝１４が設けられている。凹溝１４は、図１に示す十字形、または例えば一字形、四角、六角、梅花形等各形式の孔であればよい。しかしながら、従来のねじの駆動凹溝に合わせるドライバーヘッドは、通常、対応する結合刃が必要であると限定されている。一つの例を挙げれば、十字形の凹溝は、十字形結合刃の位置合わせ挿入のみに適用され、挿入の操作は利便的ではない。さらに、十字形結合刃が十字形凹溝に挿入される駆動トルクポイントが小さく、トルクを十分生成することができず、凹溝と結合刃の損傷が発生しやすく、使用寿命が低下する。また、十字形結合刃の十字形凹溝への挿入結合に合わせる干渉は発生していないため、両者を分離することなく結合するには、通常、磁石の吸引力による補助が必要となり、製造コストが増加する。
【考案の概要】
【考案が解決しようとする課題】
【０００３】
そこで、本考案は、頭部の頂面にツール（例えばドライバーヘッド）が挿入される凹溝を設けており、該凹溝には対応するドライバーヘッドが容易に挿入可能でありかつ最大の駆動トルクを発生可能にするねじ及び対応するパンチを提供することを目的とする。該パンチは、各種の形状のねじヘッド上に駆動凹溝を成形するためのものである。
【課題を解決するための手段】
【０００４】
本考案に係るねじは、ロッド体と該ロッド体の上端に形成された頭部とを含み、該頭部の頂面にはツールの結合刃が挿入される凹溝を設けている。該凹溝は、一つの中心領域と、複数の外周領域と、複数の連結領域とを含む。該中心領域は、該頭部の奥まで入り込み、溝底を有する。該複数の外周領域は、該中心領域から径方向に沿って外方へ延在しかつ該中心領域の周囲を離間的に囲繞している。各外周領域は、離間した２つの側壁と該２つの側壁の外端の間に連結された弧形壁とにより限定されている。各連結領域は、隣接した２つの外周領域の隣接した２つの側壁の内端の間に接続されている。各連結領域は、該中心領域に対して外方へ突出する円弧壁により限定されている。該円弧壁の両側端と接続された外周領域の側壁の内端との間では円弧面がそれぞれ１つ構成され、各円弧面は該中心領域に対して内方へ凹んでいる。
【０００５】
本考案に係るパンチは、本考案に係るねじ頭部の凹溝を製造するためのものであり、主体と、該主体の先端面から突出するパンチヘッドとを含む。該パンチヘッドは、中心部と、複数の外周部と、複数の連結部とを含む。該中心部は、該主体の先端面から所定の長さだけ突出している。該複数の外周部は、該中心部から径方向に外方へ延在しかつ該中心部の周囲を離間的に囲繞している。各外周部は、離間した２つの側刃と該２つの側刃の外端の間に連結された弧形刃とにより限定されている。各連結部は、隣接した２つの外周部の隣接した２つの側刃の間に接続され、該中心部に対して外方へ突出する円弧刃により限定されている。該円弧刃の両側端と接続された外周部の側刃との間では円弧面がそれぞれ１つ構成され、各円弧面は該中心部に対して内方へ凹んでいる。
【考案の効果】
【０００６】
本考案に係るねじ及び対応するパンチによれば、該ねじ頭部の凹溝にはドライバーヘッドが容易に挿入可能でありかつ最大の駆動トルクを発生可能であり、該凹溝は、如何なる形状の頭部を有するねじでもその上に設置可能である。
【図面の簡単な説明】
【０００７】
【図１】従来のねじの模式図である。
【図２】本考案に係る実施例のねじの立体模式図である。
【図３】図２のねじの上面図である。
【図４】図２のねじの断面図である。
【図５】本考案に係る他の実施例のねじの上面図であり、ねじ頭部の凹溝が梅花形となっている様子を示す。
【図６】本考案に係る実施例のパンチの立体模式図である。
【図７】図６のパンチの平面図である。
【図８】図６のパンチの上面図である。
【図９】図６のパンチがねじ頭部に駆動凹溝を成形する様子を示した模式図である。
【考案を実施するための形態】
【０００８】
図２ないし図４は、本考案に係る実施例のねじ２０を示す。ねじ２０は、ロッド体２２と、ロッド体２２の上端に形成された頭部２４とを含む。ロッド体２２の上にはねじ山（図示せず）が設けられている。頭部２４の頂面２６にはツール（例えばドライバーヘッド）の結合刃が挿入され、ねじ２０の回転を駆動するための凹溝２８を設けている。凹溝２８は、一つの中心領域３０と、中心領域３０から径方向に沿って外方へ延在する複数の外周領域３２と、該複数の外周領域３２の間に接続された複数の連結領域３４とを含む。中心領域３０は、ドライバーヘッドが挿入されうる係合度だけ頭部２４の奥まで入り込み、溝底３６（図４参照）を有する。該複数の外周領域３２は、中心領域３０の周囲を等角度で離間的に囲繞している。この実施例において、凹溝２８は、４つの外周領域３２を含み、隣接した２つの外周領域３２は約９０度離間しているため、凹溝２８は、略十字形となっている。図５に示す実施例において、凹溝２８は、６つの外周領域３２を含み、隣接した２つの外周領域３２は、約６０度離間しているため、凹溝２８は略梅花形となっている。その他の実施例において、凹溝２８は、例えば８個または１２個、さらに多くの外周領域３２を含んでもよい。
【０００９】
各外周領域３２は、離間した２つの側壁３８と該２つの側壁３８の外端の間に連結された弧形壁４０とにより限定されている。側壁３８及び弧形壁４０は、頭部２４の頂面２６から内方へ溝底３６まで斜めに延在し、弧形壁４０は、中心領域３０に対して外方へ突出している。ドライバーヘッドの結合刃（図示せず）が凹溝２８内に挿入されねじ２０を回転した場合、各外周領域３２の弧形壁４０の両端部４１はトルクポイントを提供している。各連結領域３４は、隣接した２つの外周領域３２の隣接した２つの側壁３８の内端の間に接続されているため、隣接した２つの外周領域３２は連結領域３４により離間されている。各連結領域３４は、中心領域３０に対して外方へ突出する円弧壁４２により限定されている。円弧壁４２は、頭部２４の頂面２６から内方へ溝底３６まで斜めに延在し、円弧壁４２の両側端と接続された外周領域３２の側壁３８の内端との間では円弧面４４がそれぞれ１つ構成され、各円弧面４４は中心領域３０に対して内方へ凹んでいる。このため、ドライバーヘッドの結合刃が凹溝２８内に挿入された場合、各連結領域３４と両側の円弧面４４とで係合面が構成され、結合刃は凹溝２８と密着可能となる。
【００１０】
本考案に係る凹溝２８は、如何なる形状の頭部を有するねじでもその上に設置可能であるため、製造が容易となる利点がある。図３に示すように、図１の凹溝１４より凹溝２８の中心領域３０の孔径が大きいため、ドライバーヘッドの結合刃は凹溝２８内に容易に挿入可能である。さらに、該複数の外周領域３２は中心領域３０に対して外方へ所定の長さ（Ｌ１）だけ突出している。弧形壁４０と２つの側壁３８の外端とで形成された円弧面４４は、大範囲のトルクポイントを提供可能である。従って、凹溝２８はより大きなトルクを発生可能である。また、該複数の円弧壁４２は、中心領域３０に対して外方へ約１〜３ｍｍの長さ（Ｌ２）だけ突出している。ドライバーヘッドの結合刃が凹溝２８内に挿入された場合、該複数の円弧壁４２は、結合刃が密着可能な係合面を提供しているため、両者は磁石の吸引力による補助なしで係合可能であり、ねじ２０の使用上の安定性を向上可能となり、製造コストの増加はない。
【００１１】
図６ないし図８は、本考案に係る実施例のパンチ４６を示す。パンチ４６は、本考案に係るねじ２０の凹溝２８を製造するためのものである。パンチ４６は、主体４８と、主体４８の先端面４９から突出するパンチヘッド５０とを含む。パンチヘッド５０は、ねじ頭部に対して凹溝２８（図９参照）をパンチ形成することができる。パンチヘッド５０は、中心部５２と、中心部５２から径方向に沿って外方へ延在する複数の外周部５４と、該複数の外周部５４の間に接続された複数の連結部５６とを含む。中心部５２は、頭部２４の頂面２６から中心領域３０をパンチ形成するための所定の縦向長さを有する。該複数の外周部５４は、中心部５２の周囲を等角度で離間的に囲繞している。この実施例において、パンチヘッド５０は、４つの外周部５４を含み、隣接した２つの外周部５４は約９０度離間しているため、パンチヘッド５０の横向断面は、略十字形となっている。実施可能な実施例において、パンチヘッド５０は、６つの外周部５４を含み、隣接した２つの外周部５４は、約６０度離間しているため、パンチヘッド５０の横向断面は略梅花形となっている。その他の実施例において、パンチヘッド５０は、例えば８個または１２個、さらに多くの外周部５４を含んでもよい。
【００１２】
各外周部５４は、離間した２つの側刃５８と該２つの側刃５８の外端の間に連結された弧形刃６０とにより限定されている。側刃５８及び弧形刃６０は、主体４８の先端面４９から内方へ斜めに延在し、弧形刃６０は、中心部５２に対して外方へ突出している。各連結部５６は隣接した２つの外周部５４の隣接した２つの側刃５８の間に接続されているため、隣接した２つの外周部５４は連結部５６により離間されている。各連結部５６は、中心部５２に対して外方へ突出する円弧刃６２により限定されている。円弧刃６２は、主体４８の先端面４９から内方へ斜めに延在し、円弧刃６２の両側端と接続された外周部５４の側刃５８との間では弧形面６４がそれぞれ１つ構成され、各弧形面６４は中心部５２に対して内方へ凹んでいる。パンチヘッド５０がねじ２０に対して凹溝２８をパンチ形成した場合、中心部５２及び該複数の外周部５４は、凹溝２８の中心領域３０と外周領域３２とを成形し、連結部５６及び弧形面６４は、凹溝２８の連結領域３４と円弧面４４とを成形してしまう。
【００１３】
上記のように、本考案に係る好ましい実施例の詳しい説明及び図面であり、本考案を限定するものではなく、本考案に係るすべての範囲は本考案の技術範囲に入るものである。
【００１４】
以上のように、本考案では、ロッド体と、該ロッド体の上端に形成された頭部とを含み、該頭部の頂面にはツールの結合刃が挿入される凹溝を設けているねじであって、該凹溝は、該頭部の奥まで入り込み溝底を有する一つの中心領域と、該中心領域から径方向に沿って外方へ延在しかつ該中心領域の周囲を離間的に囲繞しており、離間した２つの側壁と該２つの側壁の外端の間に連結された弧形壁とにより限定され、側壁と弧形壁は該頭部の頂面から該溝底まで延在する複数の外周領域と、隣接した２つの外周領域の隣接した２つの側壁の内端との間に接続され、該中心領域に対して外方へ突出する円弧壁により限定され、該円弧壁は該頭部の頂面から該溝底まで延在し、該円弧壁の両側端は接続された外周領域の側壁の内端との間で円弧面が１つ構成され、各円弧面は該中心領域に対して内方へ凹んでいる複数の連結領域と、を備えることを特徴とするねじとするものである。
【００１５】
また、該弧形壁は該中心領域に対して外方へ突出しているものとする。
【００１６】
また、該凹溝は４つの外周領域を含み、隣接した２つの外周領域は９０度離間しているものとする。
【００１７】
また、該凹溝は６つの外周領域を含み、隣接した２つの外周領域は６０度離間しているものとする。
【００１８】
また、請求項１ないし請求項４のいずれか１項に記載のねじの凹溝を製造するためのものであり、主体と、該主体の先端面から突出するパンチヘッドとを含むパンチであって、該パンチヘッドは、該主体の先端面から突出する中心部と、該中心部から径方向に沿って外方へ延在しかつ該中心部の周囲を離間的に囲繞しており、離間した２つの側刃と該２つの側刃の外端の間に連結された弧形刃とにより限定され、側刃と弧形刃は該主体の先端面から内方へ延在する複数の外周領域と、隣接した２つの外周領域の隣接した２つの側刃の間に接続され、該中心部に対して外方へ突出する円弧刃により限定され、該円弧刃は該主体の先端面から内方へ延在し、該円弧刃の両側端と接続された外周部の側刃との間では円弧面がそれぞれ１つ構成され、各円弧面は該中心部に対して内方へ凹んでいる複数の連結部と、を備えることを特徴とするパンチとするものである。
【００１９】
また、該弧形刃は該中心部に対して外方へ突出しているものとする。
【００２０】
また、該パンチヘッドは４つの外周部を含み、隣接した２つの外周部は９０度離間しているものとする。
【００２１】
また、該パンチヘッドは６つの外周部を含み、隣接した２つの外周部は６０度離間しているものとする。
【産業上の利用可能性】
【００２２】
本考案に係るねじ及び対応するパンチによれば、該ねじ頭部の凹溝にはドライバーヘッドが容易に挿入可能でありかつ最大の駆動トルクを発生可能であり、該凹溝は、如何なる形状の頭部を有するねじでもその上に設置可能である。
【符号の説明】
【００２３】
１０  頭部
１２  頂面
１４  凹溝
２０  ねじ
２２  ロッド体
２４  頭部
２６  頂面
２８  凹溝
３０  中心領域
３２  外周領域
３４  連結領域
３６  溝底
３８  側壁
４０  弧形壁
４１  端部
４２  円弧壁
４４  円弧面
４６  パンチ
４８  主体
４９  先端面
５０  パンチヘッド
５２  中心部
５４  外周部
５６  連結部
５８  側刃
６０  弧形刃
６２  円弧刃
６４  円弧面
【図１】
0003212517.tif 000003
【図２】
0003212517.tif 000004
【図３】
0003212517.tif 000005
【図４】
0003212517.tif 000006
【図５】
0003212517.tif 000007
【図６】
0003212517.tif 000008
【図７】
0003212517.tif 000009
【図８】
0003212517.tif 000010
【図９】
0003212517.tif 000011